Podtech/llm-jp-corpus-v4-ja_patent huggingface dataset:
(57)【要約】【課題】ＩＣモジュールをセットする機器がアンテナを有していなくても非接触ＩＣモジュールとして機能できるようにする。【解決手段】携帯電子機器（４）にセット可能な非接触ＩＣモジュール（１）において、前記ＩＣモジュール内にアンテナ（８）を内蔵させるようにしたものである。【選択図】        図１
2004295480.tif 000002
【特許請求の範囲】
【請求項１】
携帯電子機器にセット可能な非接触ＩＣモジュールにおいて、前記ＩＣモジュール内にアンテナを内蔵したことを特徴とする非接触ＩＣモジュール。
【発明の詳細な説明】
【０００１】
【発明の属する技術分野】
本発明は非接触ＩＣモジュールに関する。
【０００２】
【従来の技術】
従来、ＩＣカード、ＳＩＭ（Ｓｕｂｓｃｒｉｂｅｒ  Ｉｄｅｎｔｉｔｙ  Ｍｏｄｕｌｅ）カード、あるいはＵＩＭ（Ｕｓｅｒ  Ｉｄｅｎｔｉｔｙ  Ｍｏｄｕｌｅ）カードを携帯電話機にセットし、加入者情報を特定した携帯電話機としての機能と、リーダ／ライタ端末との非接触通信機能とを持たせるようにしたものが提案されている（特許文献１）。
【０００３】
図２は携帯電話機に搭載するＵＩＭカードを説明する図で、図２（ａ）はＵＩＭが板状基板に取り付けられた状態を示す図、図２（ｂ）は板状基板から切り離したＵＩＭを示す図、図２（ｃ）はＵＩＭを携帯電話機にセットする様子を示す図である。
ＵＩＭ１はメモリ、演算機能を有するＩＣチップを内蔵し、端子３を通して外部との通信が可能なＩＣモジュールであり、板状基板２に切り離し可能に取り付けられ（図２（ａ））、ＵＩＭカードとして使用するときは板状基板から切り離される（図２（ｂ））。このＵＩＭカードを携帯電話用のアンテナ５以外に、ＵＩＭカード用のアンテナ６を有する携帯電話機４にセットする（図２（ｃ））。ＵＩＭカードに記憶されている加入者情報により個人の認証ができて携帯電話機として機能し、アンテナ６を通して自動改札機等のリーダ／ライタ端末との通信も可能となる。
【０００４】
【特許文献１】特開２００２−３４２７０号公報
【０００５】
【発明が解決しようとする課題】
しかし従来のＩＣカード、ＳＩＭカード、或いはＵＩＭカードは、ＩＣモジュールの端子と接続されるアンテナをもつ携帯電話機等の携帯電子機器でないと使用できないという問題があった。
【０００６】
【課題を解決するための手段】
本発明は上記課題を解決しようとするもので、ＩＣカード、ＳＩＭカード、或いはＵＩＭカードをセットする機器がアンテナを有していなくても非接触ＩＣモジュールとして機能できるようにすることを目的とする。
そのために本発明は、携帯電子機器にセット可能な非接触ＩＣモジュールにおいて、前記ＩＣモジュール内にアンテナを内蔵したことを特徴とする。
【０００７】
【発明の実施の形態】
以下、本発明の実施の形態を図面を参照しつつ説明する。
図１は本発明の非接触ＩＣモジュールを説明する図で、図１（ａ）はＵＩＭが板状基板に取り付けられた状態を示す図、図１（ｂ）は板状基板から切り離したＵＩＭを示す図、図１（ｃ）はＵＩＭを携帯電話機にセットする様子を示す図である。
ＵＩＭ１はメモリ、演算機能を有するＩＣチップを内蔵し、端子３を通して外部との通信が可能なＩＣモジュールであり、板状基板２に切り離し可能に取り付けられ（図１（ａ））、ＵＩＭカードとして使用するときは板状基板から切り離される（図１（ｂ））。本実施形態では、図１（ｂ）に示すように、ＩＣモジュール内にアンテナ８が内蔵され、ＩＣチップ７と接続されている。したがって、このＵＩＭカードを携帯電話機４にセットすると、（図１（ｃ））、携帯電話機４がＵＩＭカード用のアンテナを有していなくても、ＩＣモジュールに内蔵のアンテナ８を通して自動改札機等のリーダ／ライタ端末との通信が可能となる。もちろん、ＵＩＭカードに記憶されている加入者情報により個人の認証ができて携帯電話機としても機能する。
【０００８】
【発明の効果】
従来のＩＣカード、ＳＩＭカード、あるいはＵＩＭカードでは、これらのカードをセットする携帯電話機等の携帯電子機器がカード用のアンテナを備えていなければ非接触ＩＣとして機能しなかったが、本発明によれば、ＩＣモジュール自身にアンテナを内蔵させるようにしたので、カード用のアンテナを備えていない機器に対しても非接触ＩＣの機能を実現することができる。
【図面の簡単な説明】
【図１】本発明の非接触ＩＣモジュールを説明する図である。
【図２】携帯電話機に搭載するＵＩＭカードを説明する図である。
【符号の説明】
【図１】
2004295480.tif 000003
【図２】
2004295480.tif 000004
(57)【要約】【課題】この発明は大きさの違う複数の円盤の種類や個数の組み合わせを変えて連結することによって、使用者の年齢、体力に応じたバランス感覚や、足腰の鍛錬が可能であり、起点を変えることによって複雑な円運動と移動が可能となる室内外で安全に使用できるバランス運動具に関するものである。【解決手段】大小の円盤を穴状ネジ式連結部（３）によって複数重ねて連結し、その個数によって大きさ、角度を変え、また突起部を持つ円盤（２）を組み込み突起部（１）、（４）、その他の突起部を交互に起点にすることによって回転運動と前後左右への移動を可能とする。【選択図】  図１
2004254977.tif 000002
【特許請求の範囲】
【請求項１】
大きさの違う数個の円盤のうち１つの円盤に複数個の突起部（１）をもつ円盤（２）を中心部に連結するための穴状ネジ式の連結部（３）により一体に連結したバランス運道具。
【発明の詳細な説明】
【０００１】
【発明が属する技術分野】
この発明は、大きさの違う大小の円盤を複数個連結することによって中心部と周辺部の突起部を回転の起点を変えることによって回転しながら前後左右への移動を可能にしたバランス運道具である。
【０００２】
【従来の技術】
従来、体を乗せて円運動、回転運動をする運道具はあった。特公平８−２８０８４２、特公平１０−２０１８７７
【０００３】
【発明が解決しようとする課題】
従来は単純な円運動及び固定式であったので多様な、複雑な動きや運動ができなかった。
【０００４】
【課題を解決するための手段】
大小複数の円盤を中心部の穴状ネジ式の連結部（３）によって連結した円盤のうち、１つに
複数の突起部（１）を設ける。
【０００５】
【発明の実施の形態】
円盤（５）の上に乗り最下段の突起部（４）を起点に傾斜及び回転運動をしながら、周辺部の
突起部（１）を起点に変更して円運動をすることによって使用者が前後左右への移動が可能となる。
【０００６】
【実施例】
大小複数の円盤を中心部を穴状ネジ式の連結部（３）によって連結し、そのうちの複数の突起部（１）を持った円盤（２）を連結する。使用者は足をやや開いた状態で円盤の突起部の上あたりに足を乗せて中心部の突起部（４）を起点に体重を前後左右に移動させることにより傾斜が起こり、さらに体重移動を連続するすることにより傾斜面の円運動が起こる。さらに左右の突起部（１）を起点に円運動することによって前後左右への移動が可能となる。
【０００７】
【発明の効果】
中心部の突起部（４）による傾斜面の円運動と周辺部の突起部（１）への起点の変更による円運動が掛け合わされることによって複雑なバランス運動と変化のある動きによって、楽しみながら効果的な運動ができる。そして円盤の大小と数の組み合わせによって大きさや角度を調整でき、大人から子供、若者や年配者まで対応できる。
【図面の簡単な説明】
【図１】本発明の斜視図
【図２】本発明の使用斜視図
【図３】本発明の裏面図
【符号の説明】
（１）  円盤の突起部
（２）  突起部を持つ円盤
（３）  穴状ネジ式の連結部
（４）  中心部の突起部
（５）  最上部の円盤
【図１】
2004254977.tif 000003
【図２】
2004254977.tif 000004
【図３】
2004254977.tif 000005
(57)【要約】【課題】本発明は、分電盤の上方から落下してくる塵埃等異物の充電部への侵入を防止し、短絡事故を未然に防ぐことを目的としている。【解決手段】本発明に係る分電盤の充電部保護構造は、充電部の上方に充電部カバー３を取り付け、充電部を保護すると共に、充電部カバー３には貫通穴３ａを設け、貫通穴３ａにはスリット入りゴムブッシングを取り付けることを特徴とし、二次送りを可能にしながら、充電部へ塵埃等の侵入を防止する。【選択図】        図２
2004254379.tif 000002
【特許請求の範囲】
【請求項１】
複数の銅バーを平行に配列し、前記銅バーを支持する充電部支持台とから構成される充電部を有する分電盤において、前記充電部の上方に充電部カバーを取り付け、前記充電部を保護すると共に、前記充電部カバーには、貫通穴を設けたことを特徴とする分電盤の充電部保護構造。
【請求項２】
前記分電盤の充電部保護構造であって、前記充電部カバーの貫通穴にスリット入りゴムブッシングを取り付けることを特徴とする請求項１に記載の分電盤の充電部保護構造。
【発明の詳細な説明】
【０００１】
【発明の属する技術分野】
本発明は、ブレーカ等の電気機器を箱体に配列し、ブレーカ間を接続する銅バー等で充電部を構成する分電盤の充電部カバーの構造に関する。
【０００２】
【従来の技術】
従来の分電盤では、入出線のために箱体上方は開放している場合もあり、充電部も特に保護されてはいなかった（例えば特許文献１参照。）。
【０００３】
【特許文献１】
特開平１０−３１３５０８号公報
【０００４】
【発明が解決しようとする課題】
しかしながら、上記従来技術によれば、分電盤の上方より落下してくる塵埃等の異物が直接充電部に触れる虞があり、それにより短絡事故の起きる危険性があった。
【０００５】
【課題を解決するための手段】
そこで本発明は、充電部の上方からの塵埃等異物の侵入の保護を目的とし、その構造は、充電部の上方に充電部カバーを取り付け、充電部を保護すると共に、充電部カバーには貫通穴を設けたことを特徴とする。
【０００６】
また、充電部カバーの貫通穴にスリット入りゴムブッシングを取り付けることを特徴とする。
【０００７】
【発明の実施の形態】
本発明に係る分電盤の充電部保護構造は、充電部の上方から落下してくる塵埃等異物の侵入の保護を目的としている。充電部を構成する銅バーは充電部支持台でそれぞれの銅バーの距離を保ちながら支持される。充電部の上方に貫通穴を有する充電部カバーを取り付け、上方からに充電部への塵埃等の侵入を防止する。また、分電盤において、二次送りが必要な場合は、充電部から上方向へ電線が出線されるが、その場合には、充電部カバーに設けられた貫通穴に電線を通す。
【０００８】
また、本発明の請求項２に係る分電盤の充電部保護構造は、充電部カバーに設けられた貫通穴にスリット入りゴムブッシングを取り付ける。二次送りが必要ない場合にも、貫通穴は塞がれており、二次送りが必要な場合にはスリット入りゴムブッシングに電線を挿通する。
【０００９】
【実施例】
本発明に係る分電盤の充電部カバーの構造の実施例を図１〜図３の添付図面に基づいて説明する。
【００１０】
分電盤において、箱体にはブレーカ１等の電気機器を配列し、ブレーカ１間は銅バー２で接続される。銅バー２で構成される充電部の上方に板状または箱状の充電部カバー３を取り付け、上方からの充電部への塵埃等の侵入を防止する。充電部カバー３には充電部の銅バー２をそれぞれ延長した位置に貫通穴３ａを設け、二次送りをするため銅バー２から出線した電線４を貫通穴３ａに通して分電盤の上方へ送ることができる。
【００１１】
また、本発明の請求項２に係る充電部保護構造は、充電部カバー３に設けられた貫通穴３ａにスリット入りゴムブッシング５を取り付ける。二次送りが必要な場合には、スリット入りゴムブッシング５を押し広げて電線４を貫通させ、分電盤の上方へ電線を送ることができる。一方、二次送りが不要な場合には、スリット入りゴムブッシング５で貫通穴３ａを施蓋することができ塵埃の侵入を防止することができる。分電盤で二次送りが必要な場合、不要な場合どちらにも同じ充電部カバー３で充電部を保護することができる。
【００１２】
【発明の効果】
以上述べたように、本発明に係る分電盤の充電部保護構造は、充電部の上方に充電部カバーを取り付け、充電部を保護すると共に、充電部カバーには貫通穴を設けたため、二次送りのための電線を分電盤の上方へ送ることが可能であると共に、塵埃等の侵入による短絡事故を未然に防止することができる。
【００１３】
また、充電部カバーの貫通穴にスリット入りゴムブッシングを取り付けるため、二次送りのための電線を分電盤の上方へ送ることが可能であると共に、塵埃等の侵入による短絡事故を未然に防止することができる。また、二次送りが必要なく電線の出線がない場合にも、充電部カバーに設けられた貫通穴はスリット入りゴムブッシングにより施蓋され塵埃等の侵入による短絡事故を未然に防止することができる。
【図面の簡単な説明】
【図１】本発明に係る分電盤の充電部カバーを取り付けた状態を示す正面図である。
【図２】本発明に係る分電盤の二次送りをした状態を示す正面図である。
【図３】本発明の請求項２に係る分電盤の充電部カバーを示す説明図である。
【符号の説明】
１      ブレーカ
２      銅バー
３      充電部カバー
３ａ    貫通穴
４      電線
５      スリット入りゴムブッシング
【図１】
2004254379.tif 000003
【図２】
2004254379.tif 000004
【図３】
2004254379.tif 000005
(57)【要約】【課題】本発明は、分電盤における充電部の上方からの塵埃等異物の侵入を防止し、短絡事故防止を目的としている。【解決手段】本発明に係る分電盤の充電部保護カバーの構造は、充電部支持台３の先端に突起部３ｂを設け、充電部カバー４には、突起部３ｂに係止可能である爪部４ａを形成すると共に、充電部支持台３と銅バー２の幅とに対向するように切り抜き部５を形成し、充電部の上方を充電部カバー４で被覆することを特徴とし、塵埃等を充電部侵入させないようにする。【選択図】        図１
2004254378.tif 000002
【特許請求の範囲】
【請求項１】
複数の銅バーを平行に配列し、前記銅バーを支持する充電部支持台とから構成される充電部を有する分電盤において、前記充電部支持台の先端に突起部を設け、充電部カバーには、前記突起部に係止可能である爪部を形成すると共に、前記充電部支持台と前記銅バーの幅とに対向するように切り抜き部を形成し、前記充電部の上方を充電部カバーで被覆することを特徴とする分電盤。
【請求項２】
前記分電盤の充電部カバーの構造であって、該充電部カバーは弾性を有する材料で形成し、前記銅バーが広幅の場合には、前記充電部カバーを撓ませ、前記切り抜き部の狭幅の部分を通過させてからもとの位置に戻して前記充電部支持台に取り付けられることを特徴とする請求項１に記載の分電盤。
【発明の詳細な説明】
【０００１】
【発明の属する技術分野】
本発明は、ブレーカ等の電気機器を箱体に配列し、ブレーカ間を接続する銅バー等で充電部を構成する分電盤の充電部カバーの構造に関する。
【０００２】
【従来の技術】
従来の分電盤では、入出線のために箱体上方は開放している場合もあり、充電部も特に保護されてはいなかった（例えば特許文献１参照。）。
【０００３】
【特許文献１】
特開平１０−３１３５０８号公報
【０００４】
【発明が解決しようとする課題】
しかしながら、上記従来技術によれば、分電盤の上方より落下してくる塵埃等の異物が直接充電部に触れる虞があり、それにより短絡事故の起きる危険性があった。
【０００５】
【課題を解決するための手段】
そこで本発明は、充電部の上方からの塵埃等異物の侵入の保護を目的とし、その構造は、充電部支持台の先端に突起部を設け、充電部カバーには、突起部に係止可能である爪部を形成すると共に、充電部支持台と銅バーの幅とに対向するように切り抜き部を形成し、充電部の上方を充電部カバーで被覆することを特徴とする。
【０００６】
また、充電部カバーは弾性を有する材料で形成し、銅バーが広幅の場合には、充電部カバーを撓ませ、切り抜き部の狭幅の部分を通過させてからもとの位置に戻して充電部支持台に取り付けられることを特徴とする。
【０００７】
【発明の実施の形態】
本発明に係る分電盤の充電部カバーの構造は、充電部の上方からの塵埃等異物の侵入の保護を目的としている。充電部を構成する銅バーは充電部支持台でそれぞれの銅バーの距離を保ちながら支持される。充電部支持台の先端には突起部を設けており、この突起部に充電部カバーを係止させ、充電部の上方を被覆する。
【０００８】
【実施例】
本発明に係る分電盤の充電部カバーの構造の実施例を図１〜図５の添付図面に基づいて説明する。
【０００９】
分電盤において、箱体にはブレーカ１等の電気機器を配列し、ブレーカ１間は銅バー２で接続される。銅バー２は距離を保ちながらそれぞれ配置できる形状の充電部支持台３で支持される。銅バー２は１００Ａ用と２００Ａ用では幅や厚さが異なっているが、本発明では、これらの銅バー２で構成される充電部の上方からの保護を目的とし、これら寸法の異なる銅バー２で構成される充電部のどちらでも使用できる充電部カバー４を提供する。
【００１０】
本発明の請求項１に係る充電部カバー４の構造において、充電部支持台３は３本の銅バー２を保持する保持部３ａと、先端には突起部３ｂを形成している。充電部カバー４は、充電部支持台３に対向する部分と銅バー２に対向する部分とに切り抜き部５を形成すると共に、充電部支持台３の突起部３ｂに係止可能である爪部４ａを突設し、充電部支持台３の正面側から充電部カバー４を差し入れ、爪部４ａを充電部支持台３の突起部３ｂに係止して取り付ける。充電部カバー４で充電部の上方を被覆することができ、上方からの塵埃等の侵入を防止し短絡事故を未然に防ぐことができる。
【００１１】
また、本発明の請求項２に係る充電部カバーの構造は、充電部支持台３に対向する部分と銅バー２に対向する部分とに切り抜き部５を形成し、また、材質は弾性を有するもので形成するものである。できるだけ、充電部の上方を被覆できるように、切り抜き部５は小さく形成しているので、銅バー２が幅広に場合、切り抜き部５に銅バー２が当たって正面から取り付けができない。その場合、弾性を利用して充電部カバー４の上端を手でつまみ、撓ませて切り抜き部５を広げ、充電部の正面から差し入れ、切り抜き部５の狭幅の部分を通過させてからもとの位置に戻し、突起部３ｂに爪部４ａを係止して取り付ける。充電部カバー４で充電部の上方を被覆することができ、上方からの塵埃等の侵入が防止でき短絡事故を未然に防ぐことができる。
【００１２】
【発明の効果】
以上述べたように、本発明に係る分電盤の充電部カバーの構造は、充電部支持台の先端に突起部を設け、充電部カバーには、突起部に係止可能である爪部を形成すると共に、充電部支持台と銅バーの幅とに対向するように切り抜き部を形成し、充電部の上方を充電部カバーで被覆するため、塵埃等の侵入による短絡事故を未然に防止することができる。取り付けは容易で工具も不要である。
【００１３】
また、充電部カバーは弾性を有する材料で形成し、銅バーが広幅の場合には、充電部カバーを撓ませ、切り抜き部の狭幅の部分を通過させてからもとの位置に戻して充電部支持台に取り付けられるため、塵埃等の侵入による短絡事故を未然に防止することができる。取り付けは容易で工具も不要である。そして、銅バーの寸法が異なっても、充電部カバーは共用できるため、製作コストを抑えながら、短絡事故防止が可能となる。
【図面の簡単な説明】
【図１】分電盤の充電部側面図である。
【図２】本発明に係る分電盤の充電部カバーの構造を示す斜視図である。
【図３】図１における一部拡大図である。
【図４】本発明に係る１００Ａ用の銅バーを用いた分電盤の充電部カバーの取り付けを示す説明図である。
【図５】本発明に係る２００Ａ用の銅バーを用いた分電盤の充電部カバーの取り付けを示す説明図である。
【符号の説明】
１      ブレーカ
２      銅バー
３      充電部支持台
３ａ    保持部
３ｂ    突起部
４      充電部カバー
４ａ    爪部
５      切り抜き部
【図１】
2004254378.tif 000003
【図２】
2004254378.tif 000004
【図３】
2004254378.tif 000005
【図４】
2004254378.tif 000006
【図５】
2004254378.tif 000007
(57)【要約】【課題】納豆を練りこんで焼き上げた、口当たりが良く、且つヘルシーなパンを提供する。【解決手段】納豆を３００回転／分以上２０００回転／分の高速回転で、好ましくは毎分４００回転以上１４００回転の高速回転で混練することにより、クリーム状を呈する納豆ペーストが得られる。このクリーム状を呈する納豆ペーストをパン生地に練りこんで焼き上げてパンとする。納豆ペーストに各種の味付けをして、好みに応じた納豆混入、ヘルシーで且つユニークなパンが得られる。【選択図】        なし【特許請求の範囲】
【請求項１】
納豆を３００回転／分〜２０００回転／分の高速回転で混練して得た、クリーム状を呈する納豆ペーストを生地に練りこんで焼き上げたパン。
【請求項２】
納豆を３００回転／分〜２０００回転／分の高速回転で混練して得た、クリーム状を呈する納豆ペーストを調味剤及び又は具材と共に混練したものを、パン生地に練りこんで焼き上げることを特徴とするパンの製造法。
【発明の詳細な説明】
【０００１】
【発明の属する技術分野】
本発明は、納豆を高速回転で混練して得られる納豆ペーストを練りこんで焼き上げたパンに関するものである。
【０００２】
【従来の技術】
近年の食生活の洋風化に伴い、又、菓子、ケーキ類の高級化に伴い、高カロリー食品、菓子類の摂取が増え、その結果として所謂文明病といわれる糖尿病、高血圧症、虚血性心疾患等の患者数は年々増加する傾向にある。
そこで高カロリー食、高蛋白食の弊害を補うべく、野菜、豆類やその他の食物繊維を多く含む食品の摂取が勧められている。
大豆は、畑の肉と称され、良質の蛋白と繊維を多く含み、また心疾患に良い効果もあるとして健康食品の優等生といわれている。その加工食品である納豆は、１日に２食でも納豆摂食を進める栄養学者いるくらい健康食の代表とされる健康食品である。然しながら、一部の人は、納豆特有の臭い、苦味を著しく嫌うものである。又、糸引きについても好まない者も多く、これが納豆そのものの市場を狭めているだけでなく、その多角的な利用を阻害してきた原因がある。
【０００３】
従来、コンビニストアー等で大量販売されているおにぎりや巻きすしの中には丸大豆納豆、引き割り納豆を内蔵したのものが販売されているが、納豆が、パン、菓子パン、サンドイッチ等のパン生地として用いられた事例はない。
【０００４】
【発明が解決しようとする課題】
納豆を３００回転／分乃至２０００回転／分の高速回転で混練して得た、クリーム状を呈する納豆ペーストを生地に練りこんで焼き上げたパンを提供する。
【０００５】
【課題を解決するための手段】
この発明は、上記の課題を解決するためになされたもので、納豆を３００回転／分以上２０００回転／分、より好ましくは、毎分４００回転以上１４００回転の高速回転で混練することにより、クリーム状を呈する納豆ペーストが得られる。この納豆ペーストは、舌触りはマヨネーズ乃至植物マーガリンの如き極めて木目の細かい、ソフトな性状を有している。このクリーム状を呈する納豆は、それ自身をパン又はトーストに塗りこんで食してもよいが、この納豆ペーストをパンの生地に練りこんで焼き上げた食パンは独特の風味を有し、ユニークな健康食品である。
【０００６】
本発明のクリーム状を呈する納豆ペーストは、通常の丸大豆納豆、引き割り納豆を毎分３００回転乃至２０００回転、好ましくは毎分４００回転以上１４００回転の高速度で回転する磨細器にて混練することによって得られる。混練時間は、納豆主体のとき３０〜１２０秒、他の具材と共に混練する場合は、６０〜２００秒間程度である。この混練には、通常の家庭用ミキサー、ジューサーでは、回転速度が不足しており充分でない。使用できる混練器としては、特開２００１−２９９１９１に記載の食用粉の混練装置等が使用出来る。
かくして得られる、納豆ペーストは、納豆特有の匂い、味は有するものの、木目が極端に細かく、滑らかであり、従来納豆を嫌っていた人々にも抵抗なしに受け入れられるものである。又、この納豆ペーストは、各種調味料と容易に混ざり合うので、必要により各種の調味付けを行って、各種のパンに焼き上げることが出来る。
【０００７】
更には、この納豆ペーストは、各種の調味剤、具材と共に混練されたものであっても良い。この場合の調味剤としては、食塩、砂糖、醤油、みりん、胡椒等の通常の調味料に加えて、マヨネーズ、ミートソース、味噌、からし等が挙げられる。
又、菓子パンにおいては、砂糖、はちみつ、カカオなどと混練されたものも良い。ここに得れられる納豆ペーストをパン生地に練りこんで食パン、菓子パン、味付けパン等を得る。
以下、実施例を用いて、本発明を更に詳細に説明するが、本発明はこれに限定されるものではない。
【０００８】
実施例１
市販小粒納豆２００ｇ、「ほんだし」（味の素株式会社製）１ｇ及び食塩１．５ｇを、混練機「ニュー・トン」（永田精機株式会社製、東京都豊島区）のプレーンカップに仕込み、１０００回転／分で９０秒間混練して、味付き納豆ペーストを調製した。薄くのばしたパン生地３００ｇに、上に得た納豆ペーストを５０ｇ宛を塗り、半分に折りたたみ更にのばす工程を繰り返してドーをこしらえ、型に入れて２次発酵させ、１７０℃のオーブンで２５分焼いた。パンの味に僅かな納豆の風味が残った上品な納豆ブレッドが出来た。
【０００９】
【考案の効果】
本発明の、クリーム状を呈する納豆ペーストを練りこんで焼き上げたパンは、納豆固有の栄養価を有し、又僅かに納豆臭を有するが、木目の細かいパンである。納豆の特徴を生かして好みに応じて、単独で或いは各種具材と共に、ヘルシーで且つ極めてユニークな納豆が練りこまれたパン類が楽しめる。
(57)【要約】      （修正有）【課題】モズクの有用成分を量的に充分摂取出来る液状化食材の提供。【解決手段】モズクを選別して不純物を除去し、水洗後ミキサーで充分に粉砕し、煮沸して自然冷却し、用途に合わせて容器に詰める。【効果】保健食、製菓、美容食、家庭料理食材、趣向食品等への利用の展望が開け、ガン細胞を自殺に追い込む働きがあるといわれるフコイダンのある環境が創出される。【選択図】なし【特許請求の範囲】
【請求項１】
渇藻類の海藻モズクを破砕液状化にして食材モズクとして活用する
【請求項２】
ミキサーで破砕して煮沸熱処理することで海藻臭が消える
【発明の詳細な説明】
【技術分野】
【０００１】本発明はモズクを破砕液状化にし熱処理する
【背景技術】
【０００２】古来、モズクは殆どが  酢の物、天ぷらとしての限定食品でした。
【発明の開示】
【発明が解決しようとする課題】
【０００３】人間の健康保健にモズクのもつ有用成分の効能価値が解明された今日、モズクの成分含有量から身近な食品として容易に摂取可能な環境が必要である。
【課題を解決するための手段】モズクを液状化することで食材、食品と展望が期待されモズクの持つ有用成分の摂取可能な食環境に改善される、
【発明の効果】モズクの液状化は此れまでの乾燥粉末の限定範囲でなく、液状化モズクのもつ有用成分は保健食  製菓  美容食  家庭料理食材  趣向食品等展望大である。
(57)【要約】【課題】美味しいまんじゅうを味わうために、まんじゅうの中にもろみを入れ、あずき味とはひと味違うサラダ味の「もろみまんじゅう」を提供する。【解決手段】丸型まんじゅうの皮（１）の中にもろみ（２）を入れ包んだ「もろみまんじゅう」を特徴とする。【選択図】  図１
2004254625.tif 000002
【特許請求の範囲】
【請求項１】
丸型まんじゅうの皮（１）の真ん中にもろみ（２）を入れて作った「もろみまんじゅう」。
【発明の詳細な説明】
【０００１】
【発明の属する技術分野】
この発明は、まんじゅうの真ん中にもろみを入れた「もろみまんじゅう」に関するものである。
【０００２】
【従来の技術】
従来、まんじゅうともろみは別々になっていた。
【０００３】
【発明が解決しようとする課題】
これは次のような欠点があった。まんじゅうの中身は甘いあずき類が多く、糖分を多く含むため食べすぎると体重を増やしすぎる傾向があった。本発明は以上のような欠点をなくすためになされたものである。
【０００４】
【課題を解決するための手段】
丸型まんじゅうの皮（１）の真ん中にもろみ（２）を入れて包み込む。本発明は以上の構成よりなる「もろみまんじゅう」である。
【０００５】
【発明の実施の形態】
以下、本発明の実施の形態について説明する。丸型まんじゅうの皮（１）が中身のもろみ（２）とマッチして美味一体となる。
【０００６】
【発明の効果】
まんじゅうの皮ともろみが一体になっているので、あずきの甘さとは違うサラダ味で楽しめる。
【図面の簡単な説明】
【図１】本発明の分解斜視図である。
【図２】本発明の正面図である。
【符号の説明】
１    丸型まんじゅうの皮
２    もろみ
【図１】
2004254625.tif 000003
【図２】
2004254625.tif 000004
(57)【要約】【課題】美味しいアイスクリームを味わうために、クリームの真ん中にみそ牛葵を入れ今までにない食感とし、美味を楽しむことを提供する。【解決手段】円筒型アイスクリーム（１）の真ん中にみそ牛芽（２）を入れ、もなかの皮（３）で包んだ牛黄丸を特徴とする。【選択図】  図１
2004254626.tif 000002
【特許請求の範囲】
【請求項１】
円筒型アイスクリーム（１）の真ん中にみそ牛葵（２）を入れ、もなかの皮（３）を外から包んで作った牛葵丸。
【発明の詳細な説明】
【０００１】
【発明の属する技術分野】
この発明は、アイスクリームの真ん中にみそ牛葵を入れた、みそ牛夢入り牛夢丸に関るものである。
【０００２】
【従来の技術】
従来、アイスクリームとみそ牛芽は別々になっていた。
【０００３】
【発明が解決しようとする課題】
これは次のような欠点があった。従来アイスクリームもなかの中にはチョコレートやあずきなどカロリーの高いものが多く、食べすぎると体重を増やしすぎる傾向があった。本発明は以上のような欠点をなくすためになされたものである。
【０００４】
【課題を解決するための手段】
円筒型アイスクリーム（１）の真ん中にみそ牛芽（２）を入れ、もなかの皮（３）で包み込む。本発明は以上の構成よりなる牛夢丸である。
【０００５】
【発明の実施の形態】
以下、本発明の実施の形態について説明する。円筒型アイスクリーム（１）と中身のみそ牛黄（２）がマッチしてコリコリとした食感を楽しみ、もなかの皮（３）と美味一体となる。
【０００６】
【発明の効果】
アイスクリームとみそ牛芽が一体になっているので、牛芽の味とクリームの味が一度に楽しめる。みそ牛芽の硬さもコリコリした食感を楽しむことで何ら差し支えない。
【図面の簡単な説明】
【図１】本発明の分解斜視図である。
【図２】本発明の正面図である。
【符号の説明】
１    円筒型アイスクリーム
２    みそ牛芽
３    もなかの皮
【図１】
2004254626.tif 000003
【図２】
2004254626.tif 000004
(57)【要約】【課題】この発明は葛きりあるいははるさめ、マロニー、冷麺等の茹で上がり後の食感や保水性を経時後でもそのまま保持できる食材である。【解決手段】粉砕された葛きりあるいははるさめ、マロニー・冷麺等澱粉を主原料としてアルファー化された食材（以下アルファー化澱粉食材）をこんにゃくで被覆するようにつなぎ、茹で伸びを防止し、保水性と食感を良好にするものである。【選択図】図１
2004254640.tif 000002
【特許請求の範囲】
【請求項１】
アルファー化澱粉食材とこんにゃく粉を主成分としてこんにゃく材で被覆するか、または両者が中身として混ざり合ってつながっているこんにゃく。
【発明の詳細な説明】
【０００１】
【発明に属する技術分野】
この発明は澱粉等をアルファー化した食材、つまり葛きり、はるさめ、マロニー、冷麺等に属するもので、澱粉を用いた食品に関するものである。
【０００２】
【従来の技術】
葛きり、はるさめ、マロニー、冷麺等、澱粉をアルファー化して作られた食品は、水を加えさらに熱を加えるとどんどん膨張し、やがてやわらかくなりすぎ一定の食感を得られなくなるものであった。
【０００３】
【発明が解決しようとする課題】
この発明は、葛きりやはるさめ等の吸水性・乾燥耐性・冷凍体制に着目したもので、これを粉末にして吸水させ、こんにゃくでつないだ食品を提供することにより、こんにゃくの特性である耐熱性・弾力を生かしながら、一定の食感を長時間持続させる食品を提供しようとするものである。
【０００４】
【課題を解決するための手段】
この発明は、粉砕されたアルファー化澱粉食材とこんにゃく粉を水で膨潤させた糊にアルカリ液を混和してゲル化させ食材として提供する。
【０００５】
【発明の実施の形態】
粉砕されたアルファー化澱粉に代わるものには、うどん・そば・ラーメンのような小麦粉や米粉から製造された麺類でもよく、これらはいずれも吸水性があり、乾燥耐性に富んでおりよく似た食材を提供することができる。またこれらに粉砕された野菜を混和させると色彩にとんだ栄養バランスがよい食材となる。
【０００６】
【実施例】
こんにゃく粉１０ｇと粉砕した葛きり１００ｇを混ぜ、１０００ｃｃの水でよくかき混ぜ膨潤させ約２時間ほどねかしておく。別に水酸化カルシウム０．５ｇを１００ｃｃの水に溶解したアルカリ液を上記に混和し、密封のできる四角い容器に入れ約８０度の温水に２時間浸漬させたあと５０度の温水に漬け、余分なアルカリを除去し食材とする。この実施例の食材はそのまま使用してもよし、一度乾燥させたあと水戻ししての使用でもよし、冷凍後解凍しての使用でもよい。  これらを水炊き・すきやき等の鍋料理に入れても長時間同じ食感を保ち煮崩れを起こさないまた余った料理を冷凍後解凍して食べても、離水がなく同じ食感を得ることができる。
【０００７】
【発明の効果】
この発明の食材はこんにゃくの持つ特性、つまり低カロリーで食物繊維が多く、低カロリーで満腹感と食物繊維の不足を補う健康食品となり、煮崩れしないことから缶詰やレトルト食品として新しい加工食品に活用できる効果がある。
【図面の簡単な説明】
【図１】アルファー化された澱粉食材にこんにゃくが添加された断面図
【符号の説明】
１．  こんにゃくの組織
２．  アルファー化された澱粉
【図１】
2004254640.tif 000003
(57)【要約】【課題】置き竿の釣りは、突然の魚振（あたり）や、ちょっと目を離したり、竿から離れたりした時に来た魚振（あたり）を、合わせ損なってしまうことが多く、魚振（あたり）が来ている時に合わせられないと餌だけ取られたりして、魚が針掛かりしにくいため、竿から離れていても自動で合わせを行なう竿受けを提供することにある。【解決手段】魚振（あたり）の振動でロックを解除することにより、バネの力で合わせを自動的に行なわせる。【選択図】    図３
2004254672.tif 000002
【特許請求の範囲】
【請求項１】
竿に伝わる魚振（あたり）により、バネの力を利用して，自動的に合わせを行う竿受け。
【発明の詳細な説明】
【０００１】
本発明は、竿に伝わる魚振（あたり）により、バネの力を利用して竿受けが自動的に合わせを行うようにしたものである。
【０００２】
【従来の技術と問題点】従来、竿受けは竿を固定するためのもので、自動で合わせを行うことはできなかった。また、魚振（あたり）を知らせるものはあったが、鈴などの音で知らせるため、聞こえなかったり、同じ音が周囲に聞こえるなど、紛らわしかったりするうえ、知らせるだけなので、鳴ってから竿を手に取って合わせていたのでは間に合わないことも多く、魚振（あたり）が来ているときに合わせられるよう、竿から離れることができなかった。
【０００３】
【本発明の目的】本発明は、竿から離れていても自動で合わせを行うことを可能にし、置き竿の釣りで魚の針掛かりを良くするためのものである。
【０００４】
【実施例】まず図１、図２、図３、の実施例について説明する。フレーム１とフレーム２を蝶番１９でつなぎ、フレーム２内の引きバネ５の力を跳ね上げ方向に変えるためのフレーム３を、フレーム１に可動式に取り付ける。引きバネ５は図１のＡ−Ｂ縦断面を挾んで２本あり、一端はチェーン１２につなぎ止め金１３でチェーン１２をフレーム２に固定する。チェーン１２の長さを変えると、跳ね上げ幅と跳ね上げる力を調整できる。引きバネ５の他端はフレーム３に取り付ける。フレーム３が引き付けられることによりフレーム２が跳ね上げられる。
【０００５】
押しバネ４は跳ね上げる力を補強するためのもので、フレーム１に蝶番１８で固定してあり、強い合わせを必要としないときや、持運びのときにはフレーム１内に収納する。又、押しバネ４は使用時、引きバネ５の受け２０によって押し縮められるため、引きバネ５の受け２０に直角にあたるよう、蝶番１８にスペーサ２１を挾み角度が付けてある。スペーサ２１には磁石２２が入れてあり、押しバネ４が使用時に倒れないようにしてある。
【０００６】
合わせまえの状態はプレート８がラッチ１０に掛かった状態で、受け６が竿に伝わる魚振（あたり）で押し下げられ、プレート９がラッチ１０を解除することにより、合わせが行われる。又、受け６を固定することにより、合わせを禁止できるため、竿を乗せてから受け６の固定を解除すると、竿を乗せるときの振動で跳ね上がるのを防止できる。本実施例では受け６の下に少し角度を付けた角棒図４を入れて合わせを禁止する。
【０００７】
ラッチ１０は蝶ねじ１１で強さを調整できる、これによって魚振（あたり）に反応する感度を調節する。
【０００８】
ステー１７にはクーラーボックス等の重しを乗せて竿受けが倒れないように固定する。
【０００９】
竿を立てる角度は足１５の長さを変えて調節する。
【００１０】
受け６はリングを開いて竿を乗せ、必要があればリングを閉じてロックする。
【００１１】
次に図５、図６、図７の実施例について、図１、図２、図３と共通の事項を除いた説明をする。フレーム３４とバネ２３の一端をワイヤーグリップ２６で固定する。バネ２３の他端を蝶番２４にワイヤーグリップ２６で固定する。蝶番２４の一端はフレーム３５に固定し、他端はスペーサ２５の厚みを変えてバネ２３とフレーム３５の固定角度を変えられるようにする。スペーサ２５を厚くすると合わせを強くできる。
【００１２】
フレーム３４に取り付けたラッチ３６は固定で動かないが、フレーム３５にはプレート３３が蝶番２７によって可動式に取り付けてあり、引きバネ２８で引き付けられている。この引きバネ２８を蝶ねじ２９で調整して、魚振（あたり）に反応する感度を調節する。
【００１３】
跳ね上げ幅はチェーン３０の長さを変えて調節する。
【００１４】
竿尻を受ける筒は穴の開いたレール３２にピンで固定する。
【００１５】
【発明の効果】竿受けが自動で合わせを行なうため竿から離れられるので、置き竿の釣りをしながら他の事ができる。合わせが行なわれると竿の角度が変わるため、竿が見える範囲に居れば魚振（あたり）があったことが一目瞭然である。
【００１６】
【図面の簡単な説明】
【図１】本発明の実施例を示す平面図
【図２】図１の側面図
【図３】図１のＡ−Ｂ線縦断面図
【図４】合わせを禁止するための角棒
【図５】本発明の実施例を示す平面図
【図６】図５の側面図
【図７】図５のＣ−Ｄ線縦断面図
【符号の説明】
１  フレーム下  ２  フレーム上  ３  跳ね上げ用フレーム  ４  補助バネ  ５跳ね上げ用バネ  ６  竿受け用リング  ７  竿尻受け用筒  ８  ロックプレート  ９  解除プレート  １０  ラッチ  １１  感度調整ねじ  １２  合わせ調整チェーン  １３  チェーン止め金具  １４  竿尻受け固定用ステー  １５  角度調整足  １６  横倒れ防止用ステー  １７  前倒れ防止用ステー  １８  補助ばね用蝶番  １９  フレーム用蝶番  ２０  引きバネ５用受け  ２１  補助バネ角度スペーサ  ２２  補助バネ倒れ止め磁石  ２３  跳ね上げ用バネ  ２４  バネ固定角調整蝶番  ２５  合わせ強さ調節用スペーサ  ２６  バネ固定用ワイヤーグリップ  ２７  ロックプレート用蝶番  ２８  感度調整用引きバネ  ２９  感度調整ねじ  ３０  合わせ幅調整チェーン  ３１  竿尻受け用筒  ３２  竿尻受け固定用レール  ３３  ロックプレート  ３４  フレーム下  ３５  フレーム上３６  ラッチ
【図１】
2004254672.tif 000003
【図２】
2004254672.tif 000004
【図３】
2004254672.tif 000005
【図４】
2004254672.tif 000006
【図５】
2004254672.tif 000007
【図６】
2004254672.tif 000008
【図７】
2004254672.tif 000009
(57)【要約】      （修正有）【課題】ペット用爪とぎの内側に研磨シートを付けて、爪切りの機能をつけた製品に関するものである。【解決手段】家具タイプ爪とぎ表面素材の内側に研磨シート２を付ける。ダンボールタイプ爪とぎ３の内側に研磨シート２を挿入する。【選択図】図２
2004254677.tif 000002
【特許請求の範囲】
【請求項１】
研磨素材を挿入したペット用爪とぎ
【発明の詳細な説明】
この考案はペット用爪とぎ家具タイプ表面素材下やダンボール素材爪とぎの中にサンドペーパーや研磨シートなど研磨機能を持つ素材を敷くことで爪とぎに爪きり機能をつけたものである。
猫等ペットの爪は放っておくと鋭くなり、家財や壁を傷つけることが多くなるばかりか、赤ん坊などが切り傷をこうむる事がある。また爪きりには専用の爪切りはさみで定期的に爪を切るが、猫等本能的動物の習性から爪きりを嫌う傾向があり、飼い主は手をひっかかれたりすることがしばしばある。
本発明はその強い要望をまとめて解決するものである。以下それを説明すると、
（イ）家具、タワータイプの爪とぎには表面にフェルトなどの表面材で表面加工したものが多いが、それらの表面材内側に研磨素材を敷く。
（ロ）ダンボールタイプの爪とぎには、横に切り込みをつくり、研磨素材を挿入する。
こうすれば猫が爪とぎをするごとに自動的に先端の鋭い爪の部分のみを紙やすりで爪切りをしたような状態になり安全で手間が省ける。
【図面の簡単な説明】
【図１】詳細な説明（イ）の解説図
【図２】詳細な説明（ロ）の解説図
【符号の説明】
１は表面材
２は研磨シート
３はダンボール製爪とぎ
【図１】
2004254677.tif 000003
【図２】
2004254677.tif 000004
(57)【要約】【課題】従来より、茸に由来する飲料、特に嗜好飲料は少なく、専ら健康飲料として特殊な茸を煎じて飲む程度である。また、コーヒー、紅茶、煎茶、ココアなど多くの飲料が発明され人々はそれを嗜好して来た。しかし以降、新規な嗜好飲料は特に生まれていない。本発明は、ナメコ茸に由来する、新規な食材と飲料を提供するものである。【解決手段】ナメコ茸の場合、水を加えて密閉静置するか揉むなどして充分にナメコ茸特有のヌメリを発生させてから加熱乾燥すると、黒褐色ないし茶褐色に変色し苦みも生成されることを見いだした。以上のような手段により製造された黒褐色ないし茶褐色のナメコ茸を粉砕し、熱水を注ぐと茸風味の苦みの伴った飲料が得られ、かつ粉砕しないでそのままの黒褐色ナメコ茸に熱水を注ぐと、プリンとした歯ごたえで苦みの有る黒褐色ナメコ茸に復元するので新規な食材となる。【特許請求の範囲】
【請求項１】
ナメコ茸特有のヌメリを発現させた後、加熱乾燥により黒褐色ないし茶褐色に変化させた乾燥ナメコ茸と、その乾燥ナメコ茸から水溶性成分を浸出することを特徴とする飲料。
【発明の詳細な説明】
【０００１】
【発明の属する技術分野】
本発明は、ナメコ茸特有のヌメリを充分に発現させ、加熱乾燥することで得られる黒褐色化ないし茶褐色化させた食材としての乾燥ナメコ茸と、その乾燥ナメコ茸に熱水を加えて成分浸出した新規な飲料を提供するものである。
【０００２】
【従来の技術】
従来より、食用キノコは料理に使われたり、乾燥した物を煎じて健康飲料として重宝されて来た。しかしナメコ茸については、乾燥物を煎じて特に飲料とする事もなかった。そして自然放置しておくと傷みも速く、仮にそのままで自然乾燥や加熱乾燥しても特に色の変化は起こらない。つまり過去にナメコ茸をナメコ茸特有のヌメリを充分に発生させてから加熱乾燥し、それで得られる黒褐色化ないし茶褐色化させた乾燥ナメコ茸から、新規な食材ならびに飲料を得ようと云う発想も試みも無かった。
【０００３】
【発明が解決しようとする課題】
従来より、コーヒー、紅茶、煎茶、ココアなど多くの飲料が発明され人々はそれを嗜好して来た。しかし以降、新規な飲料はあまり生まれていない。特に茸に由来する飲料は特になく、一部の人が健康の為に煎じて飲む程度である。本発明は、茸、特にナメコ茸に由来する新規な食材と飲料を提供するものである。
【０００４】
【課題を解決するための手段】
ナメコ茸の場合、適量の水分を加え密閉静置もしくは揉むなどして、充分にナメコ茸特有のヌメリを発生させてから加熱乾燥すると、黒褐色ないし茶褐色に変色し、更に充分に乾燥させることで苦みも生成されることを見いだした。つまり収穫したそのままのヌメリの発生していないナメコ茸は、自然乾燥でも加熱乾燥でも黄色のままで乾燥し、特に変色も味の変化もないのである。実験の結果、ヌメリの発生量に応じて黒褐色に変色する傾向にあることが判明した。そしてそれを粉砕し熱水を加えてみると、コーヒーとそっくりの茶褐色の浸出液が得られ独特の苦みのある飲料になることが分かった。また粉砕しないその乾燥ナメコ茸に熱水を注ぐと、プリンとした歯ごたえで苦みのある黒褐色ナメコ茸になることも分かった。
【０００５】
【作用】
このようにして製造した乾燥ナメコ茸の浸出液は、香りこそ違うもののコーヒーと同じ茶褐色をしており、コーヒーと同じように苦みを伴った茸風味の独特の飲料となる。当然ではあるが薄めに浸出すれば紅茶のような色彩で苦みの薄い浸出液が得られる。粉砕しない乾燥黒褐色ナメコ茸に熱水を注いだものは、プリンとした歯ごたえで苦みのある黒褐色ナメコ茸に復元するので、マヨネーズや醤油などで珍味として食せるものになる。
【０００６】
【実施例】
ナメコ茸、舞茸、エノキ茸、シイタケ、シメジ茸、ヒラタケ、エリンギなど様々なキノコを１００℃程度で加熱乾燥してみると、特にヌメリのでたナメコ茸だけが黒褐色ないし茶褐色に変色する事を見い出した。他の茸は特に変化はしないまま乾燥してしまう。乾燥温度は１００℃にこだわるものではないが、水での煮炊きが１００℃付近なので、本来の成分の変質が起こらない状態で乾燥出来るものと想定し実施した。当然９０℃でも１００℃以上でも乾燥は起こり状態は同じである。つまりナメコ茸を４０℃以下位での低温であると傷みも速くかつ乾燥速度も遅いことから、焦げない程度の温度で乾燥する事が好ましい。つまりコーヒー豆のように特に高温で焙煎する必要はなく、１００℃で充分黒褐色ないし茶褐色になり、まるで焙煎されたかのような状態になる。そして意外な事にコーヒーの浸出液の成分と該ナメコ茸の浸出成分をＦＴ−ＩＲと云う赤外線分析装置（島津社製）にかけて分析比較したところ、成分が非常に酷似しており同一成分であると判断せざるを得なく全くもって驚きである。つまりこのことは従来のコーヒー豆同士のブレンドで得ていたそれぞれの味わいのコーヒーに対し、コーヒー豆以外の物とのブレンドで今までにない新規な風味を持つコーヒーを作り出せる事にもなる。ブレンド割合は好みで自在である。もちろん単独でも新規な飲料となり、砂糖、ミルクを入れると格別の味わいとなる。
【０００７】
【発明の効果】
キノコを加熱乾燥中に、ヌメリが充分に出たナメコ茸が黒褐色ないし茶褐色に変色するのを観察する中、新規な飲料としてのアイデアが浮かび、鋭意研究分析を重ねた結果、コーヒー成分と酷似していることや、充分に乾燥しないと苦みも生成されないことも分かった。ヌメリが充分に出たナメコ茸を加熱乾燥して得られる該ナメコ茸から、水溶性成分を浸出することにより新規な飲料を提供するものである。且つ、該ナメコ茸に熱水を注ぐと黒色ながらプリンとした歯ごたえの有るナメコ茸に復元するので、珍味な食材としてのナメコ茸を提供するものである。実際に様々な方に試飲、試食していただいているがすこぶる好評である。
(57)【要約】【課題】ペットを連れての散歩は健康保持の観点からも、手軽に行え、モティベーション保持が比較的容易な運動である。しかし、従来の曳き綱による散歩は、片手が曳き綱によりあらゆる方向に引っ張られることにより、バランスを崩しやすく不自然な歩行運動となり、疲れがちであった。また手を使用する際不便であり、傘を差す時などには億劫となりがちであった。【解決手段】散歩者の腰部に自由度を持って従来の曳き綱を装着できる本発明は、散歩時における両手の使用を自由にする。腰部は身体の重心をとる際に重要であり、ペットからの力を歩行運動のバランスが取りやすいものに変えることが可能であり、より自然な歩行運動が容易となり、快適性が増加するものと思われる。本発明は、散歩者の腰部にベルト状の物を装着し、その上を、身体を軸に３６０度自由に移動するコネクターを作成し、従来の曳き綱を連結可能な構造である。また万一のためペットを容易に片手で離すことが可能な構造である。【選択図】  図１
2004254678.tif 000002
【特許請求の範囲】
【請求項１】
ペットの散歩の際にその曳き綱を連結する物であり、散歩者の腰部に装着し、その上を、身体を軸に３６０度自由に移動することが可能で、片手を使ってすぐに離脱できる用具。
【発明の詳細な説明】
この発明は従来のペットを連れての散歩の際における曳き綱を、手に持つことから散歩者の身体に自由度をもって装着するための用具である。
従来のペットを連れての散歩は曳き綱を手に持つことにより以下の点で欠点があった。
（い）曳き綱で手が引っ張られることにより重心が崩れやすく、歩行運動が不自然となる事が多く、知らない間に疲労の原因となっていた。
（ろ）傘を差す時、手荷物がある時、突然の危険を回避する時などの手を使いたい時に、片手がふさがっており不便であり、一層歩行が不安定になった。
（は）ペットが散歩者の身体の周囲を回ると、曳き綱を持つ手を迅速に持ち替えなければならず、ともすれば曳き綱が身体に巻きつくことがあった。
本発明はこの点を考慮し、簡単な用具を使用することにより改善を図った物である。以下それを説明すると
（イ）散歩者の腰部に巻くベルト（１）を、バックルＡ（２）にて連結し、体格にあわせて長さを調節可能とする。
（ロ）ベルトの上を、身体を軸に３６０度滑らかに自由に移動するコネクター（３）を作成する。コネクターは、一部が短い筒状となっており、ベルトがその筒の中を通る構造である。
（ハ）コネクターの残りの部分は輪状になっており、バックルＢ（４）をはずし、従来の曳き綱の輪の部分を連結して使用する。
（二）曳き綱とコネクターの連結は、万一の時に備えて、コネクターがどの位置にあるときも、バックルＡあるいはＢを片手で外すことで、容易に曳き綱が離脱可能である。
本発明はこのような工夫のあるある用具の使用により、前記の点の改善を図る物である。
健康保持のため適度な運動が重要であることは、様々のところで証明されている。歩行運動は高齢者になっても行える手軽なものであるが、モティベーションを保持しづらい点が挙げられている。その点、ペットを連れて散歩することは、そういった問題の解決の糸口となることが十分期待できる。ペットを連れての散歩が、この用具を使用することにより、身体の重心をとる際に最も重要な部分である腰部に、主に前方向の力が掛かるのみとなる。また、従来の発明にあった衣服の一箇所に曳き綱を固定するものと比較し、コネクターが自由に身体の周囲を移動することで、衣服を傷めること無く、ペットの動きに合わせて身体の方向を変える必要が無くなる。よって歩行運動がバランスよく、自然に近い形の物となり、散歩に伴う歩行運動そのものが、より快適になる効果を図ったものである。また両手が使えることで、散歩における自由度を増す効果もある。よって、ペットを連れた散歩が快適となることで、その機会が増え継続しやすくなることにより、健康の維持増進に寄与するものと思われる。また結果的に動物が身近になることにより、アニマルセラピーといった側面から、メンタルヘルスにも少なからず良い影響を与えることが予想される。
【図面の簡単な説明】
【図１】本発明の全体図
【符号の説明】
１はベルト
２はバックルＡ
３はコネクター
４はバックルＢ
【図１】
2004254678.tif 000003